(57)【特許請求の範囲】
【請求項１】
加工品について複数の加工工程に対応させて各加工品の現状画像を表示するための画像データをそれぞれ記憶する画像記憶手段と、
前記画像記憶手段に記憶されている前記各加工品の現状画像毎にそれの加工位置を表示するための加工位置データを記憶する加工位置記憶手段と、
前記画像記憶手段に記憶された画像データに基づく現状画像上に前記加工位置記憶手段に記憶された加工位置データに基づく加工位置を順次合成表示する合成表示手段と、
前記合成表示手段によって順次合成表示される現状画像上の加工位置を指定する指定手段と、
前記指定手段によって指定された位置が前記加工位置記憶手段に記憶された加工位置データに基づく加工位置に合致した場合に次の加工工程の前記現状画像を前記画像記憶手段から読み出して切り換え表示する切換表示手段と、
を備えた手順表示処理装置。
【請求項２】
複数種の加工品についてそれぞれ複数の加工工程に対応させて前記各加工品の現状画像を表示するための画像データをそれぞれ記憶する画像記憶手段と、
前記画像記憶手段に記憶されている前記各加工品の現状画像毎にそれの加工位置を表示するための加工位置データを記憶する加工位置記憶手段と、
前記複数種の加工品から一加工品を選択する加工品選択手段と、
前記加工品選択手段によって選択された一加工品について前記画像記憶手段に記憶された画像データに基づく現状画像上に前記加工位置記憶手段に記憶された加工位置データに基づく加工位置を順次合成表示する合成表示手段と、
前記合成表示手段によって順次合成表示される現状画像上の加工位置を指定する指定手段と、
前記指定手段によって指定された位置が前記加工位置記憶手段に記憶された加工位置データに基づく加工位置に合致した場合に次の加工工程の前記現状画像を前記画像記憶手段から読み出して切り換え表示する切換表示手段と、
を備えた手順表示処理装置。
【請求項３】
加工工程間を補間する補間画像を表示するための画像データを記憶する補間画像記憶手段と、
前記切換表示手段によって次加工工程に切り換え表示する場合、前記補間画像記憶手段に記憶された画像データに基づく補間画像を表示する補間画像表示手段と、
をさらに有したことを特徴とする請求項１又は２記載の手順表示処理装置。
【請求項４】
加工工程間を補間する補間画像をデモンストレーション表示するための画像データを記憶する補間画像記憶手段と、
前記指定手段によって前記加工位置が指定されなかった場合、前記補間画像記憶手段に記憶された画像データに基づく補間画像をデモンストレーション表示するデモンストレーション表示手段と、
をさらに有したことを特徴とする請求項１〜３のいずれかに記載の手順表示処理装置。
【請求項５】
前記加工品毎の加工工程に対応させて前記各加工品の加工方法を音声発生させるための音声データを記憶する音声記憶手段と、
前記合成表示手段による合成表示と共に前記音声記憶手段に記憶された音声データに基づいて音声を発生する音声発生手段と、
をさらに有したことを特徴とする請求項１〜４のいずれかに記載の手順表示処理装置。
【請求項６】
前記画像記憶手段に記憶された画像データは、カラー画像データおよび３次元画像を２次元表示するための２次元データの少なくとも一方のデータであることを特徴とする請求項１〜５のいずれかに記載の手順表示処理装置。
【発明の詳細な説明】
【０００１】
【発明の属する技術分野】
本発明は、手順表示処理装置に関し、詳細には、折り紙の折り方等の加工手順を示すイメージを加工工程に従って表示変化させ、加工手順を支援する手順表示処理装置に関する。
【０００２】
【従来の技術】
従来、折り紙、袱紗（風呂敷）、スカーフ等の折り方や結び方の手順は、手順ガイダンス書に折り始めから完成までの工程を絵や写真で表したものが一般的である。その絵や写真は、加工工程順に時系列に並べられており、各加工工程には説明文の記載もある。
【０００３】
ここで、折り紙の折り方の手順を例に挙げる。山折りや谷折り等の折り目は各折り目を区別できるように点線、実線等の各種線を用いて表現され、折る方向は矢印等の記号を用いて表現されている。
【０００４】
【発明が解決しようとする課題】
このように、手順ガイダンス書では、各加工工程を示す絵や写真を説明文や記号の説明でサポートして各加工工程の内容説明を把握しやすいようにしているが、説明文においてはその記載が冗長すぎても簡略化しすぎても意味不明となり、通常、説明文を記載するためのスペースに制約があることから、その表現にも限界が生じる。利用者がこの様な説明文を参照して折るにしてもその乏しい表現から手順を把握することは困難であった。また、記号においては折り始めにその記号の意味を憶えておかないと、再度記号の意味を参照することになり、特に、工程数が多かったり記号の種類が多くなると、各加工工程での瞬時の理解は困難となり、この記号についても表現力の乏しさを露呈することになった。このように、手順ガイダンス書による手順ガイダンスでは、説明の表現力に限界があること、及び各種記号の意味を理解する手間があり、これは手順ガイダンス書に対する理解力に依存する部分が大きいことから、一方通行の学習となって高い学習効果を期待できないという問題点があった。
【０００５】
そこで、手順ガイダンス書に代わりコンピュータによる画像処理技術を採用することで、画面に各工程のイメージ（画像）を表示させることもできるが、単に手順ガイダンス書と同様の内容を加工工程に従って順次表示させただけでは、説明の表現力に大差ないことから、この場合にも一方通行の学習となって高い学習効果を期待できないという問題に直面することになる。
【０００６】
そこで、本発明の課題は、上述した従来例による問題点を解消するため、手順ガイダンス書に代わりコンピュータによる画像処理技術を採用し、手順ガイダンスにかかる説明の表現力を向上させ、高い学習効果を得られるように支援できる手順表示処理装置を提供することにある。
【０００７】
【課題を解決するための手段】
請求項１記載の発明に係る手順表示処理装置は、
加工品について複数の加工工程に対応させて各加工品の現状画像を表示するための画像データをそれぞれ記憶する画像記憶手段と、
前記画像記憶手段に記憶されている前記各加工品の現状画像毎にそれの加工位置を表示するための加工位置データを記憶する加工位置記憶手段と、
前記画像記憶手段に記憶された画像データに基づく現状画像上に前記加工位置記憶手段に記憶された加工位置データに基づく加工位置を順次合成表示する合成表示手段と、
前記合成表示手段によって順次合成表示される現状画像上の加工位置を指定する指定手段と、
前記指定手段によって指定された位置が前記加工位置記憶手段に記憶された加工位置データに基づく加工位置に合致した場合に次の加工工程の前記現状画像を前記画像記憶手段から読み出して切り換え表示する切換表示手段と、
を備える。
【０００８】
以上の構成によれば、画像記憶手段は、加工品について複数の加工工程に対応させて各加工品の現状画像を表示するための画像データをそれぞれ記憶し、加工位置記憶手段は、画像記憶手段に記憶されている各加工品の現状画像毎にそれの加工位置を表示するための加工位置データを記憶し、合成表示手段は、画像記憶手段に記憶された画像データに基づく現状画像上に加工位置記憶手段に記憶された加工位置データに基づく加工位置を順次合成表示し、指定手段は、合成表示手段によって順次合成表示される現状画像上の加工位置を指定し、切換表示手段は、指定手段によって指定された位置が加工位置記憶手段に記憶された加工位置データに基づく加工位置に合致した場合に次の加工工程の現状画像を画像記憶手段から読み出して切り換え表示する。
【０００９】
従って、ユーザのペースで加工工程を移行させるようにしたので、覚えやすい高い学習効果を生むための支援が可能である。
【００１０】
請求項２記載の発明に係る手順表示処理装置は、
複数種の加工品についてそれぞれ複数の加工工程に対応させて前記各加工品の現状画像を表示するための画像データをそれぞれ記憶する画像記憶手段と、
前記画像記憶手段に記憶されている前記各加工品の現状画像毎にそれの加工位置を表示するための加工位置データを記憶する加工位置記憶手段と、
前記複数種の加工品から一加工品を選択する加工品選択手段と、
前記加工品選択手段によって選択された一加工品について前記画像記憶手段に記憶された画像データに基づく現状画像上に前記加工位置記憶手段に記憶された加工位置データに基づく加工位置を順次合成表示する合成表示手段と、
前記合成表示手段によって順次合成表示される現状画像上の加工位置を指定する指定手段と、
前記指定手段によって指定された位置が前記加工位置記憶手段に記憶された加工位置データに基づく加工位置に合致した場合に次の加工工程の前記現状画像を前記画像記憶手段から読み出して切り換え表示する切換表示手段と、
を備える。
【００１１】
以上の構成によれば、画像記憶手段は、複数種の加工品についてそれぞれ複数の加工工程に対応させて各加工品の現状画像を表示するための画像データをそれぞれ記憶し、加工位置記憶手段は、画像記憶手段に記憶されている各加工品の現状画像毎にそれの加工位置を表示するための加工位置データを記憶し、加工品選択手段は、複数種の加工品から一加工品を選択し、合成表示手段は、加工品選択手段によって選択された一加工品について画像記憶手段に記憶された画像データに基づく現状画像上に加工位置記憶手段に記憶された加工位置データに基づく加工位置を順次合成表示し、指定手段は、合成表示手段によって順次合成表示される現状画像上の加工位置を指定し、切換表示手段は、指定手段によって指定された位置が加工位置記憶手段に記憶された加工位置データに基づく加工位置に合致した場合に次の加工工程の現状画像を画像記憶手段から読み出して切り換え表示する。
【００１２】
従って、所望の加工品を選んでユーザのペースで加工工程を移行させるようにしたので、覚えやすい高い学習効果を生むための支援が可能である。
【００１３】
請求項３記載の発明に係る手順表示処理装置は、請求項１又は２記載の発明において、
加工工程間を補間する補間画像を表示するための画像データを記憶する補間画像記憶手段と、
前記切換表示手段によって次加工工程に切り換え表示する場合、前記補間画像記憶手段に記憶された画像データに基づく補間画像を表示する補間画像表示手段と、
をさらに有したことを特徴とする。
【００１４】
以上の構成によれば、補間画像記憶手段は、加工工程間を補間する補間画像を表示するための画像データを記憶し、補間画像表示手段は、切換表示手段によって次加工工程に切り換え表示する場合、補間画像記憶手段に記憶された画像データに基づく補間画像を表示する。
【００１５】
従って、次加工手順に移行する際にその移行状態を表示画像で補間すると共に、ユーザのペースで加工工程を移行させるようにして、補間画像によって連続的な加工状態を表示によって呈示できるので、表現力が向上して、覚えやすく高い学習効果を生むための支援が可能である。
【００１６】
請求項４記載の発明に係る手順表示処理装置は、請求項１〜３のいずれかに記載の発明において、
加工工程間を補間する補間画像をデモンストレーション表示するための画像データを記憶する補間画像記憶手段と、
前記指定手段によって前記加工位置が指定されなかった場合、前記補間画像記憶手段に記憶された画像データに基づく補間画像をデモンストレーション表示するデモンストレーション表示手段と、
をさらに有したことを特徴とする。
【００１７】
以上の構成によれば、補間画像記憶手段は、加工工程間を補間する補間画像をデモンストレーション表示するための画像データを記憶し、デモンストレーション表示手段は、指定手段によって加工位置が指定されなかった場合、補間画像記憶手段に記憶された画像データに基づく補間画像をデモンストレーション表示する。
【００１８】
従って、加工位置が誤指定されると現工程と次工程間を補間画像によってデモンストレーション表示すると共に、ユーザのペースで加工工程を移行させるようにして、特にデモンストレーション表示により誤指定に対してヒントを呈示できるので、表現力が向上して、覚えやすい高い学習効果を生むための支援が可能である。
【００１９】
請求項５記載の発明に係る手順表示処理装置は、請求項１〜４のいずれかに記載の発明において、
前記加工品毎の加工工程に対応させて前記各加工品の加工方法を音声発生させるための音声データを記憶する音声記憶手段と、
前記合成表示手段による合成表示と共に前記音声記憶手段に記憶された音声データに基づいて音声を発生する音声発生手段と、
をさらに有したことを特徴とする。
【００２０】
以上の構成によれば、音声記憶手段は、加工品毎の加工工程に対応させて各加工品の加工方法を音声発生させるための音声データを記憶し、音声発生手段は、合成表示手段による合成表示と共に音声記憶手段に記憶された音声データに基づいて音声を発生する。
【００２１】
従って、ユーザのペースで加工工程を移行させると共に、その加工工程を音声によってサポートするようにしたので、音声効果による相乗効果で表現力が向上し、覚えやすい高い学習効果を生むための支援が可能である。
【００２２】
請求項６記載の発明に係る手順表示処理装置は、請求項１〜５のいずれかに記載の発明において、
前記画像記憶手段に記憶された画像データは、カラー画像データおよび３次元画像を２次元表示するための２次元データの少なくとも一方のデータであることを特徴とする。
【００２３】
従って、ユーザのペースで加工工程を移行させると共に、カラー画像もしくは３次元画像を用いることで、視覚的な表現力が向上して、覚えやすい高い学習効果を生むための支援が可能である。
【００２４】
【発明の実施の形態】
以下に添付図面を参照して、本発明に係る好適な実施の形態を詳細に説明する。なお、以下に説明する手順は、一例として折り紙の折り方を挙げげるものとする。
【００２５】
図１は本発明に係る手順表示処理装置の一実施の形態を示すブロック図である。この図１に示した手順表示処理装置は、例えば、ＣＰＵ１、ＲＯＭ２、ＲＡＭ３、操作部４、表示メモリ５、表示部６、座標入力部７、音声発生部８、手順表示情報ＲＯＭ９、画像データＲＯＭ１０、音声データＲＯＭ１１、折り方データＲＯＭ１２、及びバス１３より構成されている。
【００２６】
以上の構成において、ＣＰＵ１は、ＲＯＭ２に格納されたプログラムに従って本装置全体を制御するものであり、主に、予め用意されたガイダンスモード及び学習モードの内、ガイダンスモードが選択された場合には、折り方（折る位置）等を表示によって呈示しながら手順を表示し、一方、学習モードが選択された場合には、現工程に対して正しい折り方が操作された場合にのみ次工程に移行してその折り状態を表示する。
【００２７】
ＲＯＭ２は、ＣＰＵ１が動作するための各種制御プログラムを格納するメモリであり、各種制御プログラムには、図６に示したフローチャートに従うメインプログラムの他に、例えば、図７に示したフローチャートに従うガイダンスモードプログラム２ａや図８に示したフローチャートに従う学習モードプログラム２ｂがある。ＲＡＭ３は、ＣＰＵ１がプログラムを実行させる際のワークエリアとして用いるメモリである。
【００２８】
操作部４は、電源スイッチ、数字、文字等のデータを入力するためのキー等による構成され、表示メモリ５は、表示部６に表示させる数字、文字、画像等のデータを記憶するメモリである。表示部６は、ＬＣＤ等の表示機器であり、折り紙の各種折る対象を選択するためのメニュー画面を表示したり、選択された折る対象の手順を画像表示したりする。座標入力部７は、表示部６上に設けられ、例えば、透明のタッチパネルと入力ペンとからなる入力装置であり、入力ペンでタッチパネルをタッチして表示部６の座標位置を指定するものである。
【００２９】
音声発生部８は、不図示のスピーカを具備しており、音声データＲＯＭ１１に格納された音声データに基づいて音声を発生して、スピーカより出力するものである。
【００３０】
手順表示情報ＲＯＭ９は、折る対象毎に画像表示順序を記憶管理するメモリであり、画像データＲＯＭ１０は、手順表示情報ＲＯＭ９に記憶管理された画像表示順序に従って折る対象毎に手順をカラー画像データで記憶するメモリである。音声データＲＯＭ１１は、手順表示情報ＲＯＭ９に記憶管理された画像表示順序に従って折る対象毎に手順を音声データで記憶するメモリであり、折り方位置データは、手順表示情報ＲＯＭ９に記憶管理された画像表示順序に従って折る対象毎に手順を折り方データで記憶するメモリである。
【００３１】
バス１３は、ＣＰＵ１とこのＣＰＵ１に結合された周辺機器との間でアドレス信号、制御信号、データ等を伝送するものである。
【００３２】
次に、この実施の形態における各ＲＯＭ構成について図２〜図５を用いて詳述する。図２は手順表示情報ＲＯＭ９のメモリ構成を示す図、図３は画像データＲＯＭ１０のメモリ構成を示す図、図４は音声データＲＯＭ１１のメモリ構成を示す図、及び図５は折り方データＲＯＭ１２のメモリ構成を示す図である。
【００３３】
まず、手順表示情報ＲＯＭ９には、図２に示した如く、折り紙の基本型Ｎｏ．に対応させて折る対象と、画像表示順序とが記憶されいる。この画像表示順序は一例として全て第１工程〜第２０工程まであるものとし、基本型Ｎｏ．及び各工程に対応して３桁の数字で画像Ｎｏ．が割り当てられており、折る対象が異なっても折り紙の加工状態が共通の工程は、同一画像Ｎｏ．が付与される。例えば、基本型Ｎｏ．０１には、折る対象“かぶと”、基本型Ｎｏ．０２には、折る対象“魔法使いのおばあさん”、基本型Ｎｏ．０３には、折る対象“鶴”がそれぞれ対応する。
【００３４】
そして、画像データＲＯＭ１０には、図３に示した如く、画像Ｎｏ．に対応させてカラー画像データ（折り状態）が記憶され、音声データＲＯＭ１１には、図４に示した如く、画像Ｎｏ．に対応させて音声データ（折り方の音声ガイダンス）が記憶され、折り方位置データＲＯＭ１２には、図５に示した如く、折り方位置データ（折り位置）が記憶されている。
【００３５】
図３に示したカラー画像データＣＩＭＧ１，ＣＩＭＧ２…は、画像Ｎｏ．毎の折り状態をカラー画像で表すための情報であり、折り状態の骨格を構成するためのデータ、折り紙の表裏を色分け表示する色属性データ、及び折り目線を点線表示するためのデータを含んでいる。図４に示した音声データＶＳ１，ＶＳ２…は、現工程（現画像Ｎｏ．）での折り方を音声でガイダンスするための情報であり、折り目、折る位置等を音声ガイダンスするためのデータを含んでいる。図５に示した折り方位置データＰＤ１，ＰＤ２…は、現工程（現画像Ｎｏ．）での折り方を例えば星マークでガイダンス表示するための情報であり、折り目、折る位置等をガイダンス表示するためのデータを含んでいる。特に、星マークには、その画像データに色属性データが付加されたカラー画像データが対応する。
【００３６】
次に、動作について説明する。図６は本実施の形態による主動作を説明するフローチャート、図７は本実施の形態によるガイダンスモード処理を説明するフローチャート、図８は本実施の形態による学習モード処理を説明するフローチャート、図９〜図１４は図８のガイダンスモード処理時の表示例を示す図、及び、図１５〜図１７は学習モード処理時の表示例を示す図である。
【００３７】
まず、表示部６には、図２に示した手順表示情報ＲＯＭ９に記憶された複数の折る対象（かぶと、魔法使いのおばあさん、鶴…）が表示され、座標入力部７のペンによる選択指示がウェイトされる（ステップＳ１）。その後、ペンによって、例えば、“魔法使いのおばあさん”が選択指示された場合には、その折る対象に対応した基本型Ｎｏ．データ「０２」がＲＡＭ３に格納される（ステップＳ２）。
【００３８】
そして、表示部６には、モード選択画面が形成され、このモード選択画面には、折る手順を各工程毎に表示させ折る位置等の折り方を表示や音声によってガイダンスしながら座標入力部７（ペン）の操作によって工程を進行させるガイダンスモードと、折る手順を各工程毎に表示させ上記ガイダンス無しに座標入力部７（ペン）の操作が正解のときに工程を進行させる学習モードとが選択可能に表示され、これらモードは座標入力部７（ペン）によって選択される。
【００３９】
そこで、ガイダンスモードがペン操作によって選択された場合には、処理はステップＳ５に移行して図７に示したフローチャートに従うガイダンスモード処理が実行され、一方、学習モードがペン操作によって選択された場合には、処理はステップＳ６に移行して図８に示したフローチャートに従う学習モード処理が実行される。
【００４０】
ガイダンスモードでは（図７参照）、図９〜図１４に示した表示例に従って処理が実行される。まず、最初に、基本型Ｎｏ．０２に対応した折る対象“魔法使いのおばあさん”の完成状態が表示される。この場合、基本型Ｎｏ．０２に対応した第２０工程のカラー画像データ（画像Ｎｏ．２００）が画像データＲＯＭ１０から読み出され、そのカラー画像データに基づいて表示メモリ５にドット展開が行われる。そして、表示部６には、折る対象“魔法使いのおばあさん”の完成状態がカラー画像となって表示される（ステップＳ１１）。
【００４１】
続いて、折り方をガイダンスする前に、折る位置や折り方の表示方法やその説明について事前説明がなされる。この場合、予めＲＯＭ３に格納された事前説明データ（画像データ及び音声データ）に基づいて事前説明の画像が表示部６に表示されると共に、その画像に対応した事前説明を音声発生部８より音声出力する処理が実行される。事前説明には、図９に示した如く、原紙ＯＲＩ１の表面ＯＲＩＡ及び裏面ＯＲＩＢの各色を説明する内容が含まれている（ステップＳ１２）。
【００４２】
上記ステップＳ１２による事前説明が終了すると、処理はステップＳ１３に移行する。このステップＳ１３〜Ｓ２１までが折り手順の各工程に対応したガイダンスモードを処理する動作となる。まず、ステップＳ１３において画像表示順序のカウンタｍ（ｍは自然数）が“０”に初期化され、続くステップＳ１４にて第１工程の値をセットするためにカウンタｍがひとつインクリメントされ、ｍ＝１となる。
【００４３】
そして、手順表示情報ＲＯＭ９から基本型Ｎｏ．０２の第１工程（ｍ＝１）に対応して記憶された画像Ｎｏ．が読み出され、その画像Ｎｏ．が“１０１”であることから（図２参照）、この画像Ｎｏ．１０１に対応してカラー画像データＣＩＭＧ１０１、音声データＶＳ１０１、折り方位置データＰＤ１０１がそれぞれ画像データＲＯＭ１０、音声データＲＯＭ１１、折り方データＲＯＭ１２より読み出される（図３、図４、及び図５参照）。これらカラー画像データＣＩＭＧ１０１、音声ＶＳ１０１、及び折り方位置データＰＤ１０１により、ステップＳ１５〜Ｓ１８において、図１０、図１１、図１２の順に、最初のガイダンス処理が実行される。
【００４４】
なお、ステップＳ１５〜Ｓ１８は、カラー画像表示、音声ガイダンス、星マーク点滅表示の順で示されているが、一工程内であれば、各カラー画像データＣＩＭＧ１０１、音声データＶＳ１０１、折り方位置データＰＤ１０１に基づいくものであれば順番はいずれが先に処理されてもよいものとする。
【００４５】
この最初のガイダンス処理では、図１０に示した如く、原紙ＯＲＩ１の裏面ＯＲＩＢを、各対角線が上下左右方向を向くように表示させ、折る基点ＳＴＲ１を例えば赤色の星マークで点滅表示させる処理が実行される。さらに、図１１に示した如く、上記折る基点ＳＴＲ１の合せ位置ＳＴＲ２を同様に赤色の星マークで点滅表示させる処理が実行され、最後に図１２に示した如く、基点ＳＴＲ１を合せ位置ＳＴＲ２に折り返す際に折り目となる谷折り線ＴＮを点線によって表示する処理が実行される。この基点ＳＴＲ１及び合せ位置ＳＴＲ２の点滅表示処理については、ガイダンスモードプログラム２ａ上予め組み込んでおくものとする。したがって、折り方位置データＰＤ１０１には、基点ＳＴＲ１、合せ位置ＳＴＲ２、谷折り線ＴＮの各カラー画像データ及びその表示位置データと、これら基点ＳＴＲ１、合せ位置ＳＴＲ２、谷折り線ＴＮに基づく画像表示タイミングのデータとが含まれている。
【００４６】
さらに、図１０、図１１、図１２に示したガイダンス処理では、音声データに基づく音声ガイダンスも実行されるものであり、例えば、図１０のガイダンス表示では、音声データＶＳ１０１に基づいて“赤い星と”が音声ガイダンスされ、続く図１１のガイダンス表示では、“赤い星を”が音声ガイダンスされ、最後の図１２のガイダンス表示では、“くっつけよう”が音声ガイダンスされる。このカラー画像のガイダンス表示と音声ガイダンスとによって、ユーザは目及び耳から同時に折り方をガイダンスされることになり、このガイダンスに従ってペン入力を行えばよいことになる。
【００４７】
そこで、ユーザは、ペン（座標入力部７）を用いて表示部６上の基点ＳＴＲ１を最初に選択し、続いて合せ位置ＳＴＲ２を選択すれば、谷折り線ＴＮに沿った折り返し（谷折り）が画像処理されることになる。すなわち、ＣＰＵ１は、ステップＳ１９及びＳ２０において、ペン（座標入力部７）入力操作によって座標位置を検出すると、その検出された位置がまず基点ＳＴＲ１であるか否か判定し、正しければ続くペン入力位置についても合せ位置ＳＴＲ２であるか否か判定して、これも正しければペン入力操作が正しく行われたものとして図１２に示した谷折り線ＴＮに沿って折り返して得られる図１３のカラー画像を表示する（ステップＳ１９、Ｓ２０、Ｓ１４及びＳ１５）。この場合、画像表示順序は第２工程に移行するので、ステップＳ１４においてカウンタｍがひとつインクリメントされ、ｍ＝２となる。ここで、このステップＳ１９及びＳ２０についても、星マークのペン入力操作が複数回必要な場合には、ステップＳ１９及びＳ２０が繰り返し実行されるものとする。
【００４８】
また、ステップＳ２０においてペン入力位置の誤りが検出された場合には、処理はステップＳ２１に移行して、そこで予め登録されたエラーメッセージを表示部６に表示させたり、音声にて音声発生部８よりエラーをガイダンスさせることで、エラー報知する。このステップＳ２０が実行されると、処理は再びステップＳ１９のペン入力待ちとなる。
【００４９】
なお、ステップＳ１６は、カウンタｍがｍ＝２０に達するまでは次の処理をステップＳ１７に移行させ、ｍ＝２０に達した時点でガイダンスモード処理から抜ける。
【００５０】
このように、上述のステップＳ１４〜Ｓ２１を繰り返し実行することで、図１４に示した如く、画像Ｎｏ．２００に対応したカラー画像データＣＩＭＧ２００に基づく完成状態ＣＯＭを表示させた後、ガイダンスモード処理が終了する。
【００５１】
次に、学習モードでは（図８参照）、図１５〜図１７に示した表示例に従って処理が実行される。ここでは、折る対象“かぶと”が選択されたものとし、最初に、基本型Ｎｏ．０１に対応した折る対象“かぶと”の完成状態が表示される。この場合、基本型Ｎｏ．０１に対応した第２０工程のカラー画像データ（画像Ｎｏ．１００）が画像データＲＯＭ１０から読み出され、そのカラー画像データに基づいて表示メモリ５にドット展開が行われる。そして、表示部６には、折る対象“かぶと”の完成状態がカラー画像となって表示される（ステップＳ３１）。
【００５２】
続いて、折り方をガイダンスする前に、前述のガイダンスモード処理（ステップＳ３２）と同様に、図９に示した如く、折る位置や折り方の表示方法やその説明について事前説明がなされる。
【００５３】
上記ステップＳ３２による事前説明が終了すると、処理はステップＳ３３に移行する。このステップＳ３３〜Ｓ３９までが折り手順の各工程に対応した学習モードを処理する動作となる。まず、ステップＳ３３において画像表示順序のカウンタｍ（ｍは自然数）が“０”に初期化され、続くステップＳ３４にて第１工程の順序をセットするためにカウンタｍがひとつインクリメントされ、ｍ＝１となる。そして、手順表示情報ＲＯＭ９から基本型Ｎｏ．０１の第１工程（ｍ＝１）に対応して記憶された画像Ｎｏ．が読み出され、その画像Ｎｏ．が“００１”であることから（図２参照）、この画像Ｎｏ．００１に対応したカラー画像データＣＩＭＧ１が画像データＲＯＭ１０より読み出される（図３参照）。ステップＳ３５においては、このカラー画像データＣＩＭＧ１に基づく第１工程のカラー画像が図１５に示した如く表示される。この学習モードでは、前述のガイダンスモードと違い、ユーザからペン入力操作があるまで、何等のガイダンス（アドバイス）はせず、したがって、ガイダンス表示（星マークの表示）及び音声ガイダンスはないものとする。
【００５４】
この最初の学習処理では、図１５に示した如く、原紙ＯＲＩ２の裏面ＯＲＩＢを、各対角線が上下左右方向を向くように表示させ、ユーザからのペン入力操作がウェイトされる。そこで、ユーザは、ペン（座標入力部７）を用いて表示部６上の基点と思われる位置を最初に選択し、続いて合せ位置と思われる位置を選択することになる。ここでは、図１２に示した谷折れ線ＴＮ１のような折り返しも表示されない。すなわち、ＣＰＵ１は、ステップＳ３７及びＳ３８において、ペン（座標入力部７）入力操作によって座標位置を検出すると、その検出された位置がまず折り方位置データＰＤ１に含まれる基点ＳＴＲＲ１に対応するか否か判定し、正しければ続くペン入力位置についても折り方位置データＰＤ１に含まれる合せ位置ＳＴＲＲ２に対応するか否か判定して、これも正しければペン入力操作が正しく行われたものとして図１５に示した谷折り線ＴＮＮ１に沿って折り返して得られる図１６のカラー画像を表示する（ステップＳ３７、Ｓ３８、Ｓ３４及びＳ３５）。
【００５５】
この場合、画像表示順序は第２工程に移行するので、ステップＳ３４においてカウンタｍがひとつインクリメントされ、ｍ＝２となる。ここで、このステップＳ３７及びＳ３８についても、ペン入力操作が複数回必要な場合には、ステップＳ３７及びＳ３８の処理が繰り返し実行されるものとする。また、ステップＳ３８においてペン入力位置の誤りが検出された場合には、処理はステップＳ３９に移行して、そこで予め登録されたエラーメッセージを表示部６に表示させたり、音声にて音声発生部８よりエラーをガイダンスさせることで、エラー報知する。このステップＳ３８が実行されると、処理は再びステップＳ３７のペン入力待ちとなる。
【００５６】
なお、ステップＳ３６は、カウンタｍがｍ＝２０に達するまでは次の処理をステップＳ３７に移行させ、ｍ＝２０に達した時点で学習モード処理から抜ける。
【００５７】
同様に、図１６に示した如く、谷折り線ＴＮＮ２、ＴＮＮ３に沿って折り返えせるように、基点ＳＴＲＲ３及び合せ位置ＳＴＲＲ４の位置のペン入力、ならびに基点ＳＴＲＲ５及び合せ位置ＳＴＲＲ６の位置のペン入力が検出されると、図１７に示した第３工程のカラー画像を表示させることができる。
【００５８】
このように、上述のステップＳ３４〜Ｓ３９を繰り返し実行することで、最終的な第２０工程のカラー画像（画像Ｎｏ．１００に対応したカラー画像データＣＩＭＧ１００に基づく完成状態）が表示され、学習モード処理が終了する。
【００５９】
以上説明したようにこの実施の形態によれば、事前に加工手順をガイダンスするガイダンスモードと、加工指定結果に対してガイダンスする学習モードとを選択的にすると共に、ユーザのペースで加工工程を移行させるようにして、特にカラー画像を用いてユーザの覚えやすい方法で手順をガイダンスするようにしたので、色による表示効果で手順ガイダンスにかかる説明の表現力が向上して、高い学習効果を生むための支援が可能となる。
【００６０】
また、ガイダンスモードでは、現加工位置をカラーで点滅表示するようにしたので、色による表示効果で手順ガイダンスにかかる説明の表現力が向上する。
【００６１】
さらに、ガイダンスモードでは、音声効果が相乗効果となって手順ガイダンスにかかる説明の表現力が向上することから、高い学習効果を生むための支援が可能になる。
【００６２】
次に、上述した実施の形態の一変形例について説明する。この変形例では、上述した各工程間の折り返しの動きをカラー画像によって補完して呈示するものである。
【００６３】
図１８は、前述の図１の構成に新たに付加される補間画像データＲＯＭのメモリ構成を示す図であり、同図において、１４はバス１３に結合されＣＰＵ１の制御でデータ読み出し自在の補間画像データＲＯＭを示している。この補間データＲＯＭ１４は、隣り合う一対の画像Ｎｏ．に対応させてカラー画像データを記憶するメモリであり、このカラー画像データはカラー補間画像を形成するデータである。図１８には、基本型Ｎｏ．０１の折る対象“かぶと”の画像Ｎｏ．００１−００２間及び画像Ｎｏ．００２−００３間の各カラー画像データ（カラー補間画像）が示されている。
【００６４】
次に、この変形例の主要な動作について説明する。図１９はこの変形例によるエラー報知処理を説明するフローチャートであり、図２０及び図２１は図１９のエラー報知処理時の表示例を示す図である。
【００６５】
図１９に示したエラー報知処理は、前述の図７のステップＳ２１もしくは図８のステップＳ３９で実行する処理の変形例を示したものである。まず、このエラー報知処理に処理が移行すると、ステップＳ４１においてエラーメッセージ、エラーの音声ガイダンス等の処理が実行され、続いてステップＳ４２において補間画像データＲＯＭ１４より現画像Ｎｏ．及び次画像Ｎｏ．に対応するカラー画像データが読み出される。例えば、現画像Ｎｏ．が基本型Ｎｏ．０１の“００１”であれば、図１８に示した如く画像Ｎｏ．００１及び００２に対応するカラー画像データが読み出され、図２０に示した如く画像Ｎｏ．００１とＮｏ．００２との間のカラー補間画像が表示される。このカラー補間画像は、ペン入力エラーに対するデモンストレーション表示となる。同様に、現画像Ｎｏ．が画像Ｎｏ．００２であれば、この画像Ｎｏ．００２と００３との間のカラー補間画像が図２１に示した如く表示される。
【００６６】
以上説明したようにこの変形例によれば、エラー報知の一例として、ペン入力の誤指定があれば、ガイダンスモードでも学習モードでも次加工手順に移行するその移行状態をカラー補間画像で補間するようにしたので、そのカラー補間画像によって連続的な加工状態を表示によってデモンストレーション表示することができ、これによって、手順ガイダンスにかかる説明の表現力が向上して、高い学習効果を生むための支援が可能となる。
【００６７】
さて、このカラー補間画像の表示は、何もエラー報知時に限定されるものではなく、例えば、ガイダンスモードもしくは学習モードで正しいペン入力操作があった場合に表示するようにしてもよい。
【００６８】
また、前述の実施の形態及び変形例において、カラー画像を３次元画像としてもよく、この場合には、立体的なカラー画像表現によって手順ガイダンスにかかる説明の表現力が向上して、より一層の高い学習効果を生むための支援が可能となる。
【００６９】
【発明の効果】
以上説明したように請求項１記載の発明によれば、ユーザのペースで加工工程を移行させるようにしたので、覚えやすい高い学習効果を生むための支援が可能な手順表示処理装置を得られるという効果を奏する。
【００７０】
請求項２記載の発明によれば、所望の加工品を選んでユーザのペースで加工工程を移行させるようにしたので、覚えやすい高い学習効果を生むための支援が可能な手順表示処理装置を得られるという効果を奏する。
【００７１】
請求項３記載の発明によれば、請求項１又は２に記載の発明において、次加工手順に移行する際にその移行状態を表示画像で補間すると共に、ユーザのペースで加工工程を移行させるようにして、補間画像によって連続的な加工状態を表示によって呈示できるので、表現力が向上して、覚えやすく高い学習効果を生むための支援が可能な手順表示処理装置を得られるという効果を奏する。
【００７２】
請求項４記載の発明によれば、請求項１〜３のいずれかに記載の発明において、加工位置が誤指定されると現工程と次工程間を補間画像によってデモンストレーション表示すると共に、ユーザのペースで加工工程を移行させるようにして、特にデモンストレーション表示により誤指定に対してヒントを呈示できるので、表現力が向上して、覚えやすい高い学習効果を生むための支援が可能な手順表示処理装置を得られるという効果を奏する。
【００７３】
請求項５記載の発明によれば、請求項１〜４のいずれかに記載の発明において、ユーザのペースで加工工程を移行させると共に、その加工工程を音声によってサポートするようにしたので、音声効果による相乗効果で表現力が向上し、覚えやすい高い学習効果を生むための支援が可能な手順表示処理装置を得られるという効果を奏する。
【００７４】
請求項６記載の発明によれば、請求項１〜５のいずれかに記載の発明において、ユーザのペースで加工工程を移行させると共に、カラー画像もしくは３次元画像を用いることで、視覚的な表現力が向上して、覚えやすい高い学習効果を生むための支援が可能な手順表示処理装置を得られるという効果を奏する。
【図面の簡単な説明】
【図１】本発明に係る手順表示処理装置の一実施の形態を示すブロック図である。
【図２】図１に示した手順表示情報ＲＯＭのメモリ構成を示す図である。
【図３】図１に示した画像データＲＯＭのメモリ構成を示す図である。
【図４】図１に示した音声データＲＯＭのメモリ構成を示す図である。
【図５】図１に示した折り方位置データＲＯＭのメモリ構成を示す図である。
【図６】本実施の形態による主動作を説明するフローチャートである。
【図７】本実施の形態によるガイダンスモード処理を説明するフローチャートである。
【図８】本実施の形態による学習モード処理を説明するフローチャートである。
【図９】図８のガイダンスモード処理時の表示例を示す図である。
【図１０】図８のガイダンスモード処理時の表示例を示す図である。
【図１１】図８のガイダンスモード処理時の表示例を示す図である。
【図１２】図８のガイダンスモード処理時の表示例を示す図である。
【図１３】図８のガイダンスモード処理時の表示例を示す図である。
【図１４】図８のガイダンスモード処理時の表示例を示す図である。
【図１５】図９の学習モード処理時の表示例を示す図である。
【図１６】図９の学習モード処理時の表示例を示す図である。
【図１７】図９の学習モード処理時の表示例を示す図である。
【図１８】本実施の形態の一変形例による補間画像データＲＯＭのメモリ構成を示す図である。
【図１９】一変形例によるエラー報知処理を説明するフローチャートである。
【図２０】図１９のエラー報知処理時の表示例を示す図である。
【図２１】図１９のエラー報知処理時の表示例を示す図である。
【符号の説明】
１        ＣＰＵ
２        ＲＯＭ
２ａ      ガイダンスモードプログラム
２ｂ      学習モードプログラム
３        ＲＡＭ
４        操作部
５        表示メモリ
６        表示部
７        座標入力部
８        音声発生部
９        手順表示情報ＲＯＭ
１０      画像データＲＯＭ
１１      音声データＲＯＭ
１２      折り方位置データＲＯＭ
１３      バス
１４      補間画像データＲＯＭ
【図１】
0003612829.tif 000002
【図２】
0003612829.tif 000003
【図３】
0003612829.tif 000004
【図４】
0003612829.tif 000005
【図５】
0003612829.tif 000006
【図６】
0003612829.tif 000007
【図７】
0003612829.tif 000008
【図８】
0003612829.tif 000009
【図９】
0003612829.tif 000010
【図１０】
0003612829.tif 000011
【図１１】
0003612829.tif 000012
【図１２】
0003612829.tif 000013
【図１３】
0003612829.tif 000014
【図１４】
0003612829.tif 000015
【図１５】
0003612829.tif 000016
【図１６】
0003612829.tif 000017
【図１７】
0003612829.tif 000018
【図１８】
0003612829.tif 000019
【図１９】
0003612829.tif 000020
【図２０】
0003612829.tif 000021
【図２１】
0003612829.tif 000022